(57)【要約】【課題】本発明の目的は、各個人が自分の住宅のエネルギー消費量を詳細かつ簡易に把握可能なエネルギーデータ管理システム及びエネルギーデータ管理装置、エネルギーデータ管理方法並びにエネルギーデータ管理プログラムを提供することにある。【解決手段】本発明は、住宅内のエネルギー使用量データを記録、表示するエネルギーデータ管理装置１に関する。ガス、水道使用量のデータ及びブレーカ１４ａの電力値のデータを保存する使用データ記憶手段１２と、住宅の単位期間当たりのガス、水道、電気の目標使用値を記憶する目標値記憶手段１２を備える。使用データ記憶手段１２内のデータ及び目標値記憶手段１２内の目標使用値を用いて、所定期間内のガス、水道、電気の使用値及び所定期間におけるその目標使用値を同時に表示する画面のデータを作成して、表示装置３１に送信する。【選択図】　　　　図７
2004012148.tif 000002
【特許請求の範囲】
【請求項１】
住宅内のエネルギー使用量データを記録、表示するエネルギーデータ管理システムであって、
前記住宅内のガス使用量を測定するガスメータと、前記住宅内の水道使用量を測定する水道メータと、前記住宅内の電気機器に供給される電流の流通を許可するブレーカと、該ブレーカの電力値を定期的に測定すると共に、前記メータから前記使用量のデータを受信して該データ及び前記電力値のデータを保存するエネルギーデータ管理装置と、該エネルギーデータ管理装置から受信した情報を表示する表示装置と、を備え、
前記エネルギーデータ管理装置は、各前記メータから受信した前記使用量のデータ及び定期的に測定して得た前記電力値のデータを保存する使用データ記憶手段と、
前記住宅の単位期間当たりのガス、水道、電気の目標使用値を記憶する目標値記憶手段と、
前記エネルギーデータ管理装置に接続された表示装置からの要求があったときに、前記使用データ記憶手段に保存された前記データ及び前記目標値記憶手段に記憶された前記目標使用値を用いて、所定期間内の前記ガス、水道、電気の使用値及び前記所定期間におけるガス、水道、電気の目標使用値を同時に表示する所定期間表示画面のデータを作成して、前記表示装置に送信する手段と、を備え、
前記表示装置は、前記所定期間表示画面のデータを受信して、該表示画面を表示する表示手段を備えることを特徴とするエネルギーデータ管理システム。
【請求項２】
前記エネルギーデータ管理装置は、明るい表情及び暗い表情のキャラクタ表示データを保存するキャラクタ表示データ記憶手段と、
前記所定期間内の前記使用値から前記所定期間における前記目標使用値を引いた差を算出する減算手段を備え、
前記差が所定値より小さい値である場合に、前記キャラクタ表示データ記憶手段から、前記明るい表情のキャラクタ表示データを抽出し、前記所定期間表示画面のデータと共に前記表示装置に送信し、前記表示装置は、前記表示データを受信して、前記表示画面に明るい表情のキャラクタを表示することを特徴とする請求項１記載のエネルギーデータ管理システム。
【請求項３】
住宅内のエネルギー使用量データを記録、表示するエネルギーデータ管理システムであって、
前記住宅内の電気機器に供給される電流の流通を許可する複数のブレーカと、該ブレーカの電力値を定期的に測定すると共に、前記電力値のデータを保存するエネルギーデータ管理装置と、該エネルギーデータ管理装置から受信した情報を表示する表示装置と、を備え、
前記エネルギーデータ管理装置は、
定期的に測定して得た前記ブレーカ毎の電力値データを保存する使用電力値記憶手段と、
複数の各前記ブレーカの電気目標使用値を前記ブレーカ毎に記憶する電気目標値記憶手段と、
前記エネルギーデータ管理装置に接続された表示装置からの要求があったときに、前記使用電力値記憶手段に保存された前記電力値データ及び前記電気目標値記憶手段に記憶された前記電気目標使用値を用いて、前記ブレーカ毎の所定期間内の電気使用値及び電気目標使用値を同時に表示する所定期間電気使用値表示画面のデータを作成して、前記表示装置に送信する手段と、を備え、
前記表示装置は、前記所定期間電気使用値表示画面のデータを受信して、該表示画面を表示する表示手段を備えることを特徴とするエネルギーデータ管理システム。
【請求項４】
住宅内のエネルギー使用量データを記録、表示するエネルギーデータ管理システムであって、
前記住宅内のガス使用量を測定するガスメータと、前記住宅内の水道使用量を測定する水道メータと、前記住宅内の電気機器に供給される電流の流通を許可するブレーカと、該ブレーカの電力値を定期的に測定すると共に、前記メータから前記使用量のデータを受信して該データ及び前記電力値のデータを保存するエネルギーデータ管理装置と、該エネルギーデータ管理装置から受信した情報を表示する表示装置と、を備え、
前記エネルギーデータ管理装置は、
各前記メータから受信した前記使用量のデータ及び定期的に測定して得た前記電力値のデータを保存する使用データ記憶手段と、
前記住宅の単位期間当たりのガス、水道、電気の目標使用値を記憶する目標値記憶手段と、
前記エネルギーデータ管理装置に接続された表示装置からの要求があったときに、当月の積算開始基準日から当日までの毎日についての前記開始基準日からのエネルギー使用累積値を、前記開始基準日から次月の積算開始日前日までの毎日についての目標使用値の累積値と共にグラフ表示するエネルギー使用累積値表示画面のデータを作成して、前記表示装置に送信する手段と、を備え、
前記表示装置は、前記エネルギー使用累積値表示画面のデータを受信して、該表示画面を表示する表示手段を備えることを特徴とするエネルギーデータ管理システム。
【請求項５】
前記使用値及び前記目標使用値は、使用量又は使用金額であることを特徴とする請求項１乃至４いずれか記載のエネルギーデータ管理システム。
【請求項６】
住宅内のエネルギー使用量データを記録、表示するエネルギーデータ管理装置であって、
前記住宅内のガス使用量を測定するガスメータ及び前記住宅内の水道使用量を測定する水道メータ及び前記住宅内の電気機器に供給される電流の流通を許可するブレーカと接続され、
各前記メータから、前記使用量のデータを受信する手段と、
前記ブレーカの電力値を定期的に測定する電力値測定手段と、
前記使用量のデータ及び前記電力値のデータを保存する使用データ記憶手段と、
前記住宅の単位期間当たりのガス、水道、電気の目標使用値を記憶する目標値記憶手段と、
前記エネルギーデータ管理装置に接続された表示装置からの要求があったときに、前記使用データ記憶手段に保存されたデータ及び前記目標値記憶手段に記憶された目標使用値を用いて、所定期間内の前記ガス、水道、電気の使用値及び前記所定期間におけるガス、水道、電気の目標使用値を同時に表示する所定期間表示画面のデータを作成して、前記表示装置に送信する手段を備えることを特徴とするエネルギーデータ管理装置。
【請求項７】
明るい表情及び暗い表情のキャラクタ表示データを保存するキャラクタ表示データ記憶手段と、
前記所定期間内の前記使用値から前記所定期間における前記目標使用値を引いた差を算出する減算手段を備え、
前記差が所定値より小さい値である場合に、前記キャラクタ表示データ記憶手段から、前記明るい表情のキャラクタ表示データを抽出し、前記所定期間表示画面のデータと共に前記表示装置に送信することを特徴とする請求項６記載のエネルギーデータ管理装置。
【請求項８】
住宅内のエネルギー使用量データを記録、表示するエネルギーデータ管理装置であって、
前記住宅内の電気機器に供給される電流の流通を許可する複数のブレーカと接続され、
前記複数のブレーカの電力値を定期的に測定する電力値測定手段と、
前記ブレーカ毎の電力値データを保存する使用電力値記憶手段と、
複数の各前記ブレーカの電気目標使用値を前記ブレーカ毎に記憶する電気目標値記憶手段と、
前記エネルギーデータ管理装置に接続された表示装置からの要求があったときに、前記使用電力値記憶手段に保存された前記電力値データ及び前記電気目標値記憶手段に記憶された前記電気目標使用値を用いて、前記ブレーカ毎の所定期間内の電気使用値及び電気目標使用値を同時に表示する所定期間電気使用値表示画面のデータを作成して、前記表示装置に送信する手段を備えることを特徴とするエネルギーデータ管理装置。
【請求項９】
住宅内のエネルギー使用量データを記録、表示するエネルギーデータ管理装置であって、
前記住宅内のガス使用量を測定するガスメータ及び前記住宅内の水道使用量を測定する水道メータ及び前記住宅内の電気機器に供給される電流の流通を許可するブレーカと接続され、
各前記メータから、前記使用量のデータを受信する手段と、
前記ブレーカの電力値を定期的に測定する電力値測定手段と、
前記使用量のデータ及び前記電力値のデータを保存する使用データ記憶手段と、
前記住宅の単位期間当たりのガス、水道、電気の目標使用値を記憶する目標値記憶手段と、
前記エネルギーデータ管理装置に接続された表示装置からの要求があったときに、当月の積算開始基準日から当日までの毎日についての前記開始基準日からのエネルギー使用累積値を、前記開始基準日から次月の積算開始日前日までの毎日についての目標使用値の累積値と共にグラフ表示するエネルギー使用累積値表示画面のデータを作成して、前記表示装置に送信する手段を備えることを特徴とするエネルギーデータ管理装置。
【請求項１０】
前記使用値及び前記目標使用値は、使用量又は使用金額であることを特徴とする請求項６乃至９いずれか記載のエネルギーデータ管理装置。
【請求項１１】
住宅内のエネルギー使用量データを記録、表示するエネルギーデータ管理方法であって、
前記住宅の単位期間当たりのガス、水道、電気の目標使用値を目標値記憶手段に登録する手順と、
前記住宅内のガス使用量を測定するガスメータ及び前記住宅内の水道使用量を測定する水道メータから、前記使用量のデータを受信すると共に、前記住宅内の電気機器に供給される電流の流通を許可するブレーカの電力値を定期的に測定する手順と、
前記使用量のデータ及び前記電力値のデータを使用データ記憶手段に保存する手順と、
前記エネルギーデータ管理装置に接続された表示装置からの要求があったときに、前記使用データ記憶手段に保存された前記データ及び前記目標値記憶手段に記憶された前記目標使用値を用いて、所定期間内の前記ガス、水道、電気の使用値及び前記所定期間におけるガス、水道、電気の目標使用値を同時に表示する所定期間表示画面のデータを作成して、前記表示装置に送信する手順と、を行うことを特徴とするエネルギーデータ管理方法。
【請求項１２】
前記測定する手順よりも前に、明るい表情及び暗い表情のキャラクタ表示データをキャラクタ表示データ記憶手段に保存する手順を行い、
前記表示装置に送信する手順の前に、前記所定期間内の前記使用値から前記所定期間における前記目標使用値を引いた差を算出する減算手順を行い、
前記表示装置に送信する手順と同時に、前記差が所定値より小さい値である場合に、前記キャラクタ表示データ記憶手段から、前記明るい表情のキャラクタ表示データを抽出し、前記所定期間表示画面のデータと共に前記表示装置に送信することを特徴とする請求項１１記載のエネルギーデータ管理方法。
【請求項１３】
住宅内のエネルギー使用量データを記録、表示するエネルギーデータ管理方法であって、
前記住宅内の電気機器に供給される電流の流通を許可する複数のブレーカの電気目標使用値を電気目標値記憶手段に登録する手順と、
前記複数のブレーカの電力値を定期的に測定する電力値測定手順と、
前記ブレーカ毎の電力値データを使用電力値記憶手段に保存する手順と、
前記エネルギーデータ管理装置に接続された表示装置からの要求があったときに、前記使用電力値記憶手段に保存された前記電力値データ及び前記電気目標値記憶手段に記憶された前記電気目標使用値を用いて、前記ブレーカ毎の所定期間内の電気使用値及び電気目標使用値を同時に表示する所定期間電気使用値表示画面のデータを作成して、前記表示装置に送信する手順と、を行うことを特徴とするエネルギーデータ管理方法。
【請求項１４】
住宅内のエネルギー使用量データを記録、表示するエネルギーデータ管理方法であって、
前記住宅の単位期間当たりのガス、水道、電気の目標使用値を目標値記憶手段に登録する手順と、
前記住宅内のガス使用量を測定するガスメータ及び前記住宅内の水道使用量を測定する水道メータから、前記使用量のデータを受信すると共に、前記住宅内の電気機器に供給される電流の流通を許可するブレーカの電力値を定期的に測定する手順と、
前記使用量のデータ及び前記電力値のデータを使用データ記憶手段に保存する手順と、
前記エネルギーデータ管理装置に接続された表示装置からの要求があったときに、当月の積算開始基準日から当日までの毎日についての前記開始基準日からのエネルギー使用累積値を、前記開始基準日から次月の積算開始日前日までの毎日についての目標使用値の累積値と共にグラフ表示するエネルギー使用累積値表示画面のデータを作成して、前記表示装置に送信する手順と、を行うことを特徴とするエネルギーデータ管理方法。
【請求項１５】
前記使用値及び前記目標使用値は、使用量又は使用金額であることを特徴とする請求項１１乃至１４いずれか記載のエネルギーデータ管理方法。
【請求項１６】
住宅内のエネルギー使用量データを記録、表示するエネルギーデータ管理コンピュータに、
前記住宅の単位期間当たりのガス、水道、電気の目標使用値を目標値記憶手段に登録する手順と、
前記住宅内のガス使用量を測定するガスメータ及び前記住宅内の水道使用量を測定する水道メータから、前記使用量のデータを受信すると共に、前記住宅内の電気機器に供給される電流の流通を許可するブレーカの電力値を定期的に測定する手順と、
前記使用量のデータ及び前記電力値のデータを使用データ記憶手段に保存する手順と、
前記エネルギーデータ管理装置に接続された表示装置からの要求があったときに、前記使用データ記憶手段に保存された前記データ及び前記目標値記憶手段に記憶された前記目標使用値を用いて、所定期間内の前記ガス、水道、電気の使用値及び前記所定期間におけるガス、水道、電気の目標使用値を同時に表示する所定期間表示画面のデータを作成して、前記表示装置に送信する手順と、を実行させるためのプログラム。
【請求項１７】
前記測定する手順よりも前に、明るい表情及び暗い表情のキャラクタ表示データをキャラクタ表示データ記憶手段に保存する手順を行わせ、
前記表示装置に送信する手順の前に、前記所定期間内の前記使用値から前記所定期間における前記目標使用値を引いた差を算出する減算手順を行わせ、
前記表示装置に送信する手順と同時に、前記差が所定値より小さい値である場合に、前記キャラクタ表示データ記憶手段から、前記明るい表情のキャラクタ表示データを抽出し、前記所定期間表示画面のデータと共に前記表示装置に送信する手順を実行させることを特徴とする請求項１６記載のプログラム。
【請求項１８】
住宅内のエネルギー使用量データを記録、表示するエネルギーデータ管理コンピュータに、
前記住宅内の電気機器に供給される電流の流通を許可する複数のブレーカの電気目標使用値を電気目標値記憶手段に登録する手順と、
前記複数のブレーカの電力値を定期的に測定する電力値測定手順と、
前記ブレーカ毎の電力値データを使用電力値記憶手段に保存する手順と、
前記エネルギーデータ管理装置に接続された表示装置からの要求があったときに、前記使用電力値記憶手段に保存された前記電力値データ及び前記電気目標値記憶手段に記憶された前記電気目標使用値を用いて、前記ブレーカ毎の所定期間内の電気使用値及び電気目標使用値を同時に表示する所定期間電気使用値表示画面のデータを作成して、前記表示装置に送信する手順と、を実行させるためのプログラム。
【請求項１９】
住宅内のエネルギー使用量データを記録、表示するエネルギーデータ管理コンピュータに、
前記住宅の単位期間当たりのガス、水道、電気の目標使用値を目標値記憶手段に登録する手順と、
前記住宅内のガス使用量を測定するガスメータ及び前記住宅内の水道使用量を測定する水道メータから、前記使用量のデータを受信すると共に、前記住宅内の電気機器に供給される電流の流通を許可するブレーカの電力値を定期的に測定する手順と、
前記使用量のデータ及び前記電力値のデータを使用データ記憶手段に保存する手順と、
前記エネルギーデータ管理装置に接続された表示装置からの要求があったときに、当月の積算開始基準日から当日までの毎日についての前記開始基準日からのエネルギー使用累積値を、前記開始基準日から次月の積算開始日前日までの毎日についての目標使用値の累積値と共にグラフ表示するエネルギー使用累積値表示画面のデータを作成して、前記表示装置に送信する手順と、を実行させるためのプログラム。
【請求項２０】
前記使用値及び前記目標使用値は、使用量又は使用金額であることを特徴とする請求項１６乃至１９いずれか記載のプログラム。
【発明の詳細な説明】
【０００１】
【発明の属する技術分野】
本発明はエネルギーデータ管理システム、エネルギーデータ管理装置、エネルギーデータ管理方法並びにエネルギーデータ管理プログラムに係り、特に住宅の居住者に、自宅のエネルギー使用状況を自ら把握させ、省エネルギー行動を促すことが可能なエネルギーデータ管理システム、エネルギーデータ管理装置、エネルギーデータ管理方法並びにエネルギーデータ管理プログラムに関する。
【０００２】
【従来の技術】
近年、日本国内では、核家族化、一人暮らしの増加、単身赴任に伴う世帯数の増加や、各家庭の電化製品の大型化、家電機器の保有台数の増加などにより、電気、ガス、水道、灯油、ガソリン等のエネルギー消費量が著しく増加している。
地球上の電気、ガス、水道、灯油、ガソリン等のエネルギー量には限りがあり、エネルギー消費量が現状のまま推移すれば、地球上のエネルギーが枯渇し兼ねない。
【０００３】
また、電気、ガス、水道、灯油、ガソリン等のエネルギーを産生又は利用すると、産生又は利用に伴い熱や二酸化炭素が発生するため、地球温暖化現象等の環境破壊が進行する原因となる。
社会全体のエネルギー消費量を削減するためには、各個人のエネルギー消費量を削減する必要があることから、政府やエネルギー関連企業等は、各個人がエネルギー消費量を削減するよう各種マスコミや配布資料を通じて呼びかけている。
【０００４】
【発明が解決しようとする課題】
しかし、社会全体のエネルギー消費量に対して個人の消費量が占める割合が小さいため、各個人は、エネルギー消費量の削減の必要性を自らの問題として受け止めにくく、個人単位のエネルギー消費量の削減が徹底されないという問題点がある。
また、エネルギーの使用料は、１〜２ヶ月単位などで支払うため、エネルギーに対するコスト感覚が鈍くなり、無頓着にエネルギーを消費してしまう傾向にある。その結果、個人単位のエネルギー消費量の削減が徹底されないという問題点がある。
さらに、個別の機器の消費エネルギー量が分かりにくいため各個人のエネルギー消費量の削減が徹底されないという問題点がある。
【０００５】
本発明の目的は、上記各問題点を解決することにあり、各個人が自分の住宅のエネルギー消費量を詳細かつ簡易に把握可能なエネルギーデータ管理システム及びエネルギーデータ管理装置、エネルギーデータ管理方法並びにエネルギーデータ管理プログラムを提供することにある。
本発明の他の目的は、一般家庭の居住者にとっても、エネルギー使用状況の閲覧操作が簡単で、分かり易いエネルギーデータ管理システム及びエネルギーデータ管理装置、エネルギーデータ管理方法並びにエネルギーデータ管理プログラムを提供することにある。
【０００６】
【課題を解決するための手段】
上記課題は、請求項１に係る発明によれば、住宅内のエネルギー使用量データを記録、表示するエネルギーデータ管理システムであって、前記住宅内のガス使用量を測定するガスメータと、前記住宅内の水道使用量を測定する水道メータと、前記住宅内の電気機器に供給される電流の流通を許可するブレーカと、該ブレーカの電力値を定期的に測定すると共に、前記メータから前記使用量のデータを受信して該データ及び前記電力値のデータを保存するエネルギーデータ管理装置と、該エネルギーデータ管理装置から受信した情報を表示する表示装置と、を備え、前記エネルギーデータ管理装置は、各前記メータから受信した前記使用量のデータ及び定期的に測定して得た前記電力値のデータを保存する使用データ記憶手段と、前記住宅の単位期間当たりのガス、水道、電気の目標使用値を記憶する目標値記憶手段と、前記エネルギーデータ管理装置に接続された表示装置からの要求があったときに、前記使用データ記憶手段に保存された前記データ及び前記目標値記憶手段に記憶された目標使用値を用いて、所定期間内の前記ガス、水道、電気の使用値及び前記所定期間におけるガス、水道、電気の目標使用値を同時に表示する所定期間表示画面のデータを作成して、前記表示装置に送信する手段と、を備え、前記表示装置は、前記所定期間表示画面のデータを受信して、該表示画面を表示する表示手段を備えることにより解決される。
【０００７】
上記課題は、請求項６に係る発明によれば、住宅内のエネルギー使用量データを記録、表示するエネルギーデータ管理装置であって、前記住宅内のガス使用量を測定するガスメータ及び前記住宅内の水道使用量を測定する水道メータ及び前記住宅内の電気機器に供給される電流の流通を許可するブレーカと接続され、各前記メータから、前記使用量のデータを受信する手段と、前記ブレーカの電力値を定期的に測定する電力値測定手段と、前記使用量のデータ及び前記電力値のデータを保存する使用データ記憶手段と、前記住宅の単位期間当たりのガス、水道、電気の目標使用値を記憶する目標値記憶手段と、前記エネルギーデータ管理装置に接続された表示装置からの要求があったときに、前記使用データ記憶手段に保存された前記データ及び前記目標値記憶手段に記憶された前記目標使用値を用いて、所定期間内の前記ガス、水道、電気の使用値及び前記所定期間におけるガス、水道、電気の目標使用値を同時に表示する所定期間表示画面のデータを作成して、前記表示装置に送信する手段を備えることにより解決される。
【０００８】
上記課題は、請求項１１に係る発明によれば、住宅内のエネルギー使用量データを記録、表示するエネルギーデータ管理方法であって、前記住宅の単位期間当たりのガス、水道、電気の目標使用値を目標値記憶手段に登録する手順と、前記住宅内のガス使用量を測定するガスメータ及び前記住宅内の水道使用量を測定する水道メータから、前記使用量のデータを受信すると共に、前記住宅内の電気機器に供給される電流の流通を許可するブレーカの電力値を定期的に測定する手順と、前記使用量のデータ及び前記電力値のデータを使用データ記憶手段に保存する手順と、前記エネルギーデータ管理装置に接続された表示装置からの要求があったときに、前記使用データ記憶手段に保存された前記データ及び前記目標値記憶手段に記憶された前記目標使用値を用いて、所定期間内の前記ガス、水道、電気の使用値及び前記所定期間におけるガス、水道、電気の目標使用値を同時に表示する所定期間表示画面のデータを作成して、前記表示装置に送信する手順と、を行うことにより解決される。
【０００９】
上記課題は、請求項１６に係る発明によれば、住宅内のエネルギー使用量データを記録、表示するエネルギーデータ管理コンピュータに、前記住宅の単位期間当たりのガス、水道、電気の目標使用値を目標値記憶手段に登録する手順と、前記住宅内のガス使用量を測定するガスメータ及び前記住宅内の水道使用量を測定する水道メータから、前記使用量のデータを受信すると共に、前記住宅内の電気機器に供給される電流の流通を許可するブレーカの電力値を定期的に測定する手順と、前記使用量のデータ及び前記電力値のデータを使用データ記憶手段に保存する手順と、前記エネルギーデータ管理装置に接続された表示装置からの要求があったときに、前記使用データ記憶手段に保存された前記データ及び前記目標値記憶手段に記憶された前記目標使用値を用いて、所定期間内の前記ガス、水道、電気の使用値及び前記所定期間におけるガス、水道、電気の目標使用値を同時に表示する所定期間表示画面のデータを作成して、前記表示装置に送信する手順と、を実行させるためのプログラムにより解決される。
【００１０】
このように、前記エネルギーデータ管理装置に接続された表示装置からの要求があったときに、前記使用データ記憶手段に保存されたデータ及び前記目標値記憶手段に記憶された目標使用値を用いて、所定期間内の前記ガス、水道、電気の使用値及び前記所定期間におけるガス、水道、電気の目標使用値を同時に表示する所定期間表示画面のデータを作成して、前記表示装置に送信する手段を備えているため、住宅の居住者は、表示装置で、所定期間内のエネルギー使用値とこの期間内の目標使用値とを同時に見ることができ、一目で自分の住宅のエネルギー使用状況を把握することが可能となる。
【００１１】
また、ガス、水道、電気の使用値を同時に表示するため、複数種類のエネルギーの使用状況を、同じ画面で閲覧することが可能となる。
さらに、所定期間表示画面では、ガス、水道、電気の使用値及び前記所定期間におけるガス、水道、電気の目標使用値を同時に表示するため、エネルギー使用状況を確認するために、画面をめくる必要がなく、コンピュータに不慣れな一般家庭の居住者にとって使いやすいシステムとすることが可能となる。
【００１２】
このとき、前記エネルギーデータ管理装置は、明るい表情及び暗い表情のキャラクタ表示データを保存するキャラクタ表示データ記憶手段と、前記所定期間内の前記使用値から前記所定期間における前記目標使用値を引いた差を算出する減算手段を備え、前記差が所定値より小さい値である場合に、前記キャラクタ表示データ記憶手段から、前記明るい表情のキャラクタ表示データを抽出し、前記所定期間表示画面のデータと共に前記表示装置に送信し、前記表示装置は、前記表示データを受信して、前記表示画面に明るい表情のキャラクタを表示するように構成すると好適である。
このように構成しているため、キャラクタの表情を見れば、一目でエネルギー使用が目標値を達成しているか否かを把握でき、エネルギー使用状況を、一般家庭の居住者にも分かりやすく表示することが可能となる。
【００１３】
上記課題は、請求項３に係る発明によれば、住宅内のエネルギー使用量データを記録、表示するエネルギーデータ管理システムであって、前記住宅内の電気機器に供給される電流の流通を許可する複数のブレーカと、該ブレーカの電力値を定期的に測定すると共に、前記電力値のデータを保存するエネルギーデータ管理装置と、該エネルギーデータ管理装置から受信した情報を表示する表示装置と、を備え、前記エネルギーデータ管理装置は、定期的に測定して得た前記ブレーカ毎の電力値データを保存する使用電力値記憶手段と、複数の各前記ブレーカの電気目標使用値を前記ブレーカ毎に記憶する電気目標値記憶手段と、前記エネルギーデータ管理装置に接続された表示装置からの要求があったときに、前記使用電力値記憶手段に保存された前記電力値データ及び前記電気目標値記憶手段に記憶された前記電気目標使用値を用いて、前記ブレーカ毎の所定期間内の電気使用値及び電気目標使用値を同時に表示する所定期間電気使用値表示画面のデータを作成して、前記表示装置に送信する手段と、を備え、前記表示装置は、前記所定期間電気使用値表示画面のデータを受信して、該表示画面を表示する表示手段を備えることにより解決される。
【００１４】
上記課題は、請求項８に係る発明によれば、住宅内のエネルギー使用量データを記録、表示するエネルギーデータ管理装置であって、前記住宅内の電気機器に供給される電流の流通を許可する複数のブレーカと接続され、前記複数のブレーカの電力値を定期的に測定する電力値測定手段と、前記ブレーカ毎の電力値データを保存する使用電力値記憶手段と、複数の各前記ブレーカの電気目標使用値を前記ブレーカ毎に記憶する電気目標値記憶手段と、前記エネルギーデータ管理装置に接続された表示装置からの要求があったときに、前記使用電力値記憶手段に保存された前記電力値データ及び前記電気目標値記憶手段に記憶された前記電気目標使用値を用いて、前記ブレーカ毎の所定期間内の電気使用値及び電気目標使用値を同時に表示する所定期間電気使用値表示画面のデータを作成して、前記表示装置に送信する手段を備えることにより解決される。
【００１５】
上記課題は、請求項１３に係る発明によれば、住宅内のエネルギー使用量データを記録、表示するエネルギーデータ管理方法であって、前記住宅内の電気機器に供給される電流の流通を許可する複数のブレーカの電気目標使用値を電気目標値記憶手段に登録する手順と、前記複数のブレーカの電力値を定期的に測定する電力値測定手順と、前記ブレーカ毎の電力値データを使用電力値記憶手段に保存する手順と、前記エネルギーデータ管理装置に接続された表示装置からの要求があったときに、前記使用電力値記憶手段に保存された前記電力値データ及び前記電気目標値記憶手段に記憶された前記電気目標使用値を用いて、前記ブレーカ毎の所定期間内の電気使用値及び電気目標使用値を同時に表示する所定期間電気使用値表示画面のデータを作成して、前記表示装置に送信する手順と、を行うことにより解決される。
【００１６】
上記課題は、請求項１８に係る発明によれば、住宅内のエネルギー使用量データを記録、表示するエネルギーデータ管理コンピュータに、前記住宅内の電気機器に供給される電流の流通を許可する複数のブレーカの電気目標使用値を電気目標値記憶手段に登録する手順と、前記複数のブレーカの電力値を定期的に測定する電力値測定手順と、前記ブレーカ毎の電力値データを使用電力値記憶手段に保存する手順と、前記エネルギーデータ管理装置に接続された表示装置からの要求があったときに、前記使用電力値記憶手段に保存された前記電力値データ及び前記電気目標値記憶手段に記憶された前記電気目標使用値を用いて、前記ブレーカ毎の所定期間内の電気使用値及び電気目標使用値を同時に表示する所定期間電気使用値表示画面のデータを作成して、前記表示装置に送信する手順と、を実行させるためのプログラムにより解決される。
【００１７】
このように、前記エネルギーデータ管理装置に接続された表示装置からの要求があったときに、前記使用電力値記憶手段に保存された電力値データ及び前記電気目標値記憶手段に記憶された電気目標使用値を用いて、前記ブレーカ毎の所定期間内の電気使用値及び電気目標使用値を同時に表示する所定期間電気使用値表示画面のデータを作成して、前記表示装置に送信する手段を備えているため、複数のブレーカを、それぞれ異なる部屋のコンセント等に接続しておけば、表示画面を見て、どの部屋の電気使用量が多いかを把握することが可能となる。その結果、どの部屋の電力使用量を減らせばよいかなど、省エネルギーの方針を検討することが可能となる。
【００１８】
上記課題は、請求項４に係る発明によれば、住宅内のエネルギー使用量データを記録、表示するエネルギーデータ管理システムであって、前記住宅内のガス使用量を測定するガスメータと、前記住宅内の水道使用量を測定する水道メータと、前記住宅内の電気機器に供給される電流の流通を許可するブレーカと、該ブレーカの電力値を定期的に測定すると共に、前記メータから前記使用量のデータを受信して該データ及び前記電力値のデータを保存するエネルギーデータ管理装置と、該エネルギーデータ管理装置から受信した情報を表示する表示装置と、を備え、前記エネルギーデータ管理装置は、各前記メータから受信した前記使用量のデータ及び定期的に測定して得た前記電力値のデータを保存する使用データ記憶手段と、前記住宅の単位期間当たりのガス、水道、電気の目標使用値を記憶する目標値記憶手段と、前記エネルギーデータ管理装置に接続された表示装置からの要求があったときに、当月の積算開始基準日から当日までの毎日についての前記開始基準日からのエネルギー使用累積値を、前記開始基準日から次月の積算開始日前日までの毎日についての目標使用値の累積値と共にグラフ表示するエネルギー使用累積値表示画面のデータを作成して、前記表示装置に送信する手段と、を備え、前記表示装置は、前記エネルギー使用累積値表示画面のデータを受信して、該表示画面を表示する表示手段を備えることにより解決される。
【００１９】
上記課題は、請求項９に係る発明によれば、住宅内のエネルギー使用量データを記録、表示するエネルギーデータ管理装置であって、前記住宅内のガス使用量を測定するガスメータ及び前記住宅内の水道使用量を測定する水道メータ及び前記住宅内の電気機器に供給される電流の流通を許可するブレーカと接続され、各前記メータから、前記使用量のデータを受信する手段と、前記ブレーカの電力値を定期的に測定する電力値測定手段と、前記使用量のデータ及び前記電力値のデータを保存する使用データ記憶手段と、前記住宅の単位期間当たりのガス、水道、電気の目標使用値を記憶する目標値記憶手段と、前記エネルギーデータ管理装置に接続された表示装置からの要求があったときに、当月の積算開始基準日から当日までの毎日についての前記開始基準日からのエネルギー使用累積値を、前記開始基準日から次月の積算開始日前日までの毎日についての目標使用値の累積値と共にグラフ表示するエネルギー使用累積値表示画面のデータを作成して、前記表示装置に送信する手段を備えることにより解決される。
【００２０】
上記課題は、請求項１４に係る発明によれば、住宅内のエネルギー使用量データを記録、表示するエネルギーデータ管理方法であって、前記住宅の単位期間当たりのガス、水道、電気の目標使用値を目標値記憶手段に登録する手順と、前記住宅内のガス使用量を測定するガスメータ及び前記住宅内の水道使用量を測定する水道メータから、前記使用量のデータを受信すると共に、前記住宅内の電気機器に供給される電流の流通を許可するブレーカの電力値を定期的に測定する手順と、前記使用量のデータ及び前記電力値のデータを使用データ記憶手段に保存する手順と、前記エネルギーデータ管理装置に接続された表示装置からの要求があったときに、当月の積算開始基準日から当日までの毎日についての前記開始基準日からのエネルギー使用累積値を、前記開始基準日から次月の積算開始日前日までの毎日についての目標使用値の累積値と共にグラフ表示するエネルギー使用累積値表示画面のデータを作成して、前記表示装置に送信する手順と、を行うことにより解決される。
【００２１】
上記課題は、請求項１９に係る発明によれば、住宅内のエネルギー使用量データを記録、表示するエネルギーデータ管理コンピュータに、前記住宅の単位期間当たりのガス、水道、電気の目標使用値を目標値記憶手段に登録する手順と、前記住宅内のガス使用量を測定するガスメータ及び前記住宅内の水道使用量を測定する水道メータから、前記使用量のデータを受信すると共に、前記住宅内の電気機器に供給される電流の流通を許可するブレーカの電力値を定期的に測定する手順と、前記使用量のデータ及び前記電力値のデータを使用データ記憶手段に保存する手順と、前記エネルギーデータ管理装置に接続された表示装置からの要求があったときに、当月の積算開始基準日から当日までの毎日についての前記開始基準日からのエネルギー使用累積値を、前記開始基準日から次月の積算開始日前日までの毎日についての目標使用値の累積値と共にグラフ表示するエネルギー使用累積値表示画面のデータを作成して、前記表示装置に送信する手順と、を実行させるためのプログラムにより解決される。
【００２２】
このように、前記エネルギーデータ管理装置に接続された表示装置からの要求があったときに、当月の積算開始基準日から当日までの毎日についての前記開始基準日からの日毎のエネルギー使用累積値を、前記開始基準日から次月の積算開始日前日までの毎日についての日毎の目標使用値の累積値と共に、グラフ表示するエネルギー使用累積値表示画面のデータを作成して、前記表示装置に送信する手段を備えているため、グラフを見ることにより、目標使用量を達成できそうか否かを、月の途中でも把握することが可能となる。
【００２３】
このとき、前記使用値及び前記目標使用値は、使用量又は使用金額であるように構成すると好適である。
このように構成しているため、自宅で使用しているエネルギーの使用状況を、エネルギー量及びコストの両面から把握することが可能となる。
【００２４】
【発明の実施の形態】
以下、本発明の一実施例を図面に基づいて説明する。なお、以下に説明する構成は本発明を限定するものでなく、本発明の趣旨の範囲内で種々改変することができるものである。
【００２５】
本実施形態は、住宅内での電気、ガス、水道等エネルギーの消費量を記憶し、表示装置としての家庭内の端末コンピュータ３１の表示画面にエネルギー消費状況を表示させるエネルギーデータ管理装置としての消費量記録装置１に関するものである。
この消費量記録装置１は、住宅内のエネルギー消費状況の記録及び記録したデータの出力を行う。つまり、住宅内のエネルギー消費状況を常時記録して蓄積し、必要に応じて蓄積したエネルギー消費状況データをグラフ化等して、住宅内に設置された端末コンピュータ３１画面に表示する。
【００２６】
図１は、本実施形態に係るエネルギーデータ管理システムの構成図であり、エネルギーデータ管理装置としての消費量記録装置１と、この消費量記録装置１と共に用いられる各装置を示している。
【００２７】
図１の消費量記録装置１及び各装置は、住宅一戸につき一つ設置されるものであって、住宅の水道消費量を測定する水道メータ４２と、住宅のガス消費量を測定するガスメータ４３と、住宅の所定位置に設置された温度センサ４４と、住宅内の分電盤４１と、水道メータ４２、ガスメータ４３、温度センサ４４からの測定値を受信すると共に分電盤４１の電力値を測定し、各処理を行う消費量記録装置１と、消費量記録装置１からデータを受信して画面に表示する端末コンピュータ３１と、を主要構成要素としている。
【００２８】
水道メータ４２は、住宅の水道消費量を測定する電子式水道メータである。
水道メータ４２は、水道管５４内に設けられた不図示の羽根車の回転軸上部にマグネットが取り付けられてなる。マグネットには、磁気センサ及びパルス出力回路が接続されており、磁気センサがマグネットの回転を検出して水量を計量し、所定量、例えば１０（Ｌ）を計量する毎にパルス出力回路が電圧パルスを出力するように構成されている。
【００２９】
また、この水道メータ４２は、水道局や上水道・下水道供給組織が水道料金を請求するために設置する水道メータ５２とは別個に設置されている。但し、水道メータ４２と水道メータ５２とを一体としてもよい。
水道メータ４２は、専用線で消費量記録装置１と接続され、水道メータ４２が出力した電圧パルスは消費量記録装置１に送信されるように構成されている。
【００３０】
ガスメータ４３は、ガス管５５を流れるガスについて住宅のガス消費量を測定するガスメータであって、公知のフルイディック流量計からなる。フルイディック流量計には、パルス出力回路が接続されており、所定量、例えば１０（Ｌ）を計量する毎にパルス出力回路が電圧パルスを出力するように構成されている。
【００３１】
ガスメータ４３は、ガス供給組織がガス料金を請求するために設置するガスメータ５３とは別個に設置されている。但し、ガスメータ４３とガスメータ５３とを一体としてもよい。
ガスメータ４３は、専用線で消費量記録装置１と接続され、ガスメータ４３が出力した電圧パルスは消費量記録装置１に送信されるように構成されている。
【００３２】
また、本実施形態では、電気、水道、ガスの消費状況データのみ蓄積するが、不図示の灯油メータを設置し、灯油の消費状況データを蓄積するように構成してもよい。
このとき、灯油メータは、灯油供給システムで住宅に供給している灯油の消費量を測定する電子式メータとする。
灯油メータは、水道メータ４２と同様の構成からなり、不図示の灯油管を流れる灯油の量が所定量、例えば１０（Ｌ）に達する毎にパルス出力回路が電圧パルスを出力するように構成する。
【００３３】
温度センサ４４は、公知の電子式温度計からなり、外気温を連続して測定するために設置されている。
温度センサ４４は、専用線で消費量記録装置１と接続され、温度センサ４４の温度測定値は消費量記録装置１に送信されるように構成されている。
【００３４】
分電盤４１は、公知の住宅用の分電盤であって、住宅の室内の一箇所に設置されている。図１の分電盤４１は、分電盤４１の蓋を開けた状態を模式的に示している。
分電盤４１には、図１のように、１００Ｖの商用電源が入力される主幹ブレーカ４１ａと、主幹ブレーカ４１ａに接続された複数としての１０個の分岐ブレーカ４１ｂとが設けられている。
【００３５】
主幹ブレーカ４１ａは、請求項の「ブレーカ」に該当し、専用線で消費量記録装置１と接続され、主幹ブレーカ４１ａを流れる電流についての電力値は１分毎に消費量記録装置１で測定されるように構成されている。主幹ブレーカ４１ａを流れる電流についての電力値は、住宅内で使用されている動作電力の合計である。この電力値は、１分毎にその時点の「電力値」として消費量記録装置１で測定、取得される。
【００３６】
また、分岐ブレーカ４１ｂは、専用線で消費量記録装置１と接続され、分岐ブレーカ４１ｂを流れる電流についての電力値は１分毎に消費量記録装置１に送信されるように構成されている。
分岐ブレーカ４１ｂは、住宅建築時、改築時等に、住宅内の各部屋のコンセント、電灯等の既設の電気機器の配線に接続されている。
【００３７】
例えば、予めリビングのエアコン用のコンセントに分岐ブレーカ４１ｂのうちの一つを接続しておけば、そのブレーカ４１ｂの電流量のデータを取得することにより、そのエアコンの使用電力量、使用金額を算出することが可能となる。
また、分電盤４１には、付属機器を設置するための予備空間４１ｃが設けられており、この予備空間４１ｃに、消費量記録装置１が設置されている。
【００３８】
消費量記録装置１は、ＣＰＵ、記憶手段を備えたコンピュータからなり、住宅内のエネルギー消費量を記録する装置である。消費量記録装置１は、ＣＰＵ、記憶手段等を備えた制御基板と、この制御基板を覆う筐体とを主要構成要素とし、分電盤４１盤上の予備空間４１ｃに設置されている。
【００３９】
消費量記録装置１の構成を図２に示す。
消費量記録装置１は、データの演算・制御を行う中央演算処理装置としてのＣＰＵ１１、記憶装置であるメモリ１２、ＲＯＭ１３、ＲＡＭ１４、水道メータ４２、ガスメータ４３、温度センサ４４との間のインターフェースであるメータインタフェース１５、主幹ブレーカ４１ａ、分岐ブレーカ４１ｂを通る電流について電力値を得る電力値測定手段としての電気メータ１６、端末コンピュータ３１との間のインターフェースであるＰＣインターフェース１７、モデム１８、通信装置１９を備えている。
【００４０】
ＣＰＵ１１は、ＲＯＭ１３に記憶されているプログラムにしたがって各種の処理を実行するようになされ、各機能構成群の動作管理や各信号の入出力制御など、所定の処理を実行するための中枢的役割を担うものである。
【００４１】
メータインタフェース１５は、水道メータ４２、ガスメータ４３、温度センサ４４との間のインターフェースである。
ＰＣインターフェース１７は、端末コンピュータ３１との間のインターフェースである。
電気メータ１６は、公知のテスターからなる。電気メータ１６は、主幹ブレーカ４１ａ及び分岐ブレーカ４１ｂに接続され、主幹ブレーカ４１ａ及び分岐ブレーカ４１ｂを流れる電流値を１分毎に測定する。電気メータ４１で取得された電流値は、ＣＰＵ１１により電圧値が積算され、１分毎の動作電力値に換算される。
なお、電気メータ１６として公知の積算電力計を用い、ＣＰＵ１１で時間微分することにより動作電力値を得るようにしてもよい。
【００４２】
メモリ１２、ＲＯＭ１３、ＲＡＭ１４は、記憶装置である。
メモリ１２には、種々のデータが記録され、請求項の使用データ記憶手段、目標値記憶手段、使用電力値記憶手段、電気目標値記憶手段に該当する。
メモリ１２は、生データ記録部と、使用量記録部と、目標値・単価記録部と、電気配線設定記録部と、表示データ記憶部と、コメント記憶部とを備えている。
生データ記録部は、ガスメータ４３、水道メータ４２から受信した電圧パルスと、主幹ブレーカ４１ａ、分岐ブレーカ４１ｂの１分毎の電力値を記録している。
ガスメータ４３は、所定量、例えば１０（Ｌ）を計量する毎に電圧パルスを出力する。消費量記録装置１は、この電圧パルスを受信すると、ガス消費を示す電圧パルスが発生した時刻を生データ記録部に記録する。
【００４３】
同様に、水道メータ４２から所定量、例えば１０（Ｌ）を計量する毎に出力される電圧パルスを受信すると、消費量記録装置１は、水道消費を示す電圧パルスが発生した時刻を生データ記録部に記録する。
【００４４】
また、消費量記録装置１は、主幹ブレーカ４１ａ、分岐ブレーカ４１ｂの１分毎の電力値を測定し、測定時間と測定値とを生データ記録部に記録する。
生データ記録部は、４８時間程度のガス電圧パルスデータ、水道電圧パルスデータ、電力測定値を保存可能である。
【００４５】
使用量記録部は、１時間毎のガス使用量、水道使用量、主幹ブレーカ４１ａ及び分岐ブレーカ４１ｂを通った電流に関する電気使用量を記録している。
これらの使用量のデータは、各単位時間開始時の年月日時間と、その単位時間中の使用量とが対になって記録されている。例えば、２００２年６月１日の午前０時から午前１時の間に３０（Ｌ）の水道が使用された場合には、「２００２／０６／０１／００　３０」と記録される。
消費量記録装置１は、１時間毎に、生データ記録部に記録されたガス電圧パルスデータ、水道電圧パルスデータ、電力測定値から、直前１時間のガス使用量、水道使用量、主幹ブレーカ４１ａ及び分岐ブレーカ４１ｂを通った電流に関する電気使用量を算出し、使用量記録部に保存する。
使用量記録部には、過去１４か月分のエネルギー消費量のデータを格納可能である。
【００４６】
目標値・単価記録部には、ガス、水道、電気の単価と、１ヶ月あたりの目標使用金額が登録される。単価及び目標使用金額は、後述の通り、端末コンピュータ３１で居住者により入力される。
電気配線設定記録部には、分岐ブレーカ４１ｂが接続されるコンセント又は機器の設置場所及び機器名称が登録される。コンセント又は機器の設置場所及び機器名称は、後述の通り、端末コンピュータ３１で居住者により入力される。
表示データ記憶部には、端末コンピュータ３１に表示される各画面の表示データが格納されている。また、表示データ記憶部には、後述するキャラクタの笑顔、通常顔、泣き顔のデータが格納されている。
【００４７】
コメント記憶部には、端末コンピュータ３１の画面に表示するコメントの元となる単語データ、短文データが格納されている。
例えば、「電気は」「ガスは」「水道は」「消費量が増えています。」「消費量が減っています。」「節約に努力しましょう。」などの単語データ、短文データが格納されている。
消費量記録装置１は、必要に応じてこれらの単語データ、短文データを組合せ、端末コンピュータ３１の画面に表示するコメントを作成する。
【００４８】
ＲＯＭ１３には、消費量記録装置１が実行する各種のプログラムが格納されている。
ＲＡＭ１４には、ＣＰＵ１１が各種の処理を実行する上において必要なデータなどが適宜記憶される。
【００４９】
消費量記録装置１は、家庭内の小規模ＬＡＮであるイーサネット（登録商標）で、端末コンピュータ３１と接続されている。
なお、本実施形態では、消費量記録装置１を有線で端末コンピュータ３１と接続するが、消費量記録装置１を既築住宅に設置する場合は、無線ＬＡＮで端末コンピュータ３１と接続するとよい。無線ＬＡＮで接続すれば、壁面や床下等にケーブルを敷設する工事を行う必要がなくなる。
【００５０】
端末コンピュータ３１は、請求項の表示装置に該当し、ＣＰＵ、記憶装置であるＲＡＭ、ＲＯＭ、ＨＤＤ及び記憶媒体装置、キーボード、表示装置等を備えた公知のパーソナルコンピュータからなる。デジタル家電や住宅設備の制御を行うホーム端末（又はホームサーバ）として用いられている。
また、端末コンピュータ３１の不図示のＲＯＭには、消費状況表示プログラムが格納されている。この消費状況表示プログラムは、消費量記録装置１のメモリ１２に蓄積されたデータを画面に表示させるためのものである。
【００５１】
なお、端末コンピュータ３１は、タッチパネル式のものを用いてもよい。
端末コンピュータ３１は、住宅の居住者が消費量記録装置１に蓄積されたエネルギー消費量のデータを表示させるため、また、消費量記録装置１に種々の指令を出させるために用いられる。
【００５２】
次に、本実施形態の消費量記録装置１を用いて、ある住宅のエネルギー消費状況を端末コンピュータ３１画面に表示させる動作について説明する。
本実施形態の消費量記録装置１は、水道メータ４２、ガスメータ４３からのパルス、温度センサ４４からの温度のデータを常時受信する。また、主幹ブレーカ４１ａ、分岐ブレーカ４１ｂの電力値を定期的に測定し、電力値のデータを取得する。
【００５３】
消費量記録装置１は、これらのパルス、温度のデータ、電力値を取得するとメモリ１２の生データ記録部に記録する。また、１時間毎に生データ記録部中のデータに基づき、直前１時間のガス使用量、水道使用量、主幹ブレーカ４１ａ及び分岐ブレーカ４１ｂを通った電流に関する電気使用量を算出し、使用量記録部に保存する。
このようにして、消費量記録装置１のメモリ１２には、住宅内の水道、ガスの使用量、外気温、住宅内の電気の使用状況が常時記録される。
【００５４】
住宅の居住者等は、端末コンピュータ３１の画面でその住宅のエネルギー使用状況を閲覧することが可能である。
住宅の居住者等が端末コンピュータ３１で行う操作に応じて、端末コンピュータ３１の画面に住宅のエネルギー使用状況を表示する動作について、図３〜図６のフローチャートに基づき説明する。図３〜図６のフローチャートの処理は、消費量記録装置１のＣＰＵ１１で制御される。
【００５５】
消費量記録装置１は、図３及び図４のフローチャート、図５のフローチャート、図６のフローチャートの処理をそれぞれ常時繰り返している。
処理がスタートすると、まず、ステップＳ１で、住宅の居住者等により端末コンピュータ３１のデスクトップで、不図示のエネルギーデータ管理プログラムのアイコンがクリックされたか判定する。
【００５６】
不図示の消費状況表示プログラムのアイコンがクリックされた場合（ステップＳ１：ＹＥＳ）、ステップＳ３で、メモリ１２の目標値・単価記録部から、当月の目標金額のデータを取得し、当月の目標使用量を算出する。
このステップでは、まず、メモリ１２の目標値・単価記録部から当月の目標金額と単価のデータを取得する。次いで、目標金額を単価で割り、目標使用量を算出する。
【００５７】
不図示の消費状況表示プログラムのアイコンがクリックされていない場合（ステップＳ１：ＮＯ）、ステップＳ２で、図７、図８、図１０〜図１３のメニュー画面６１で現在表示ボタン６１１がクリックされたか判定する。
【００５８】
現在表示ボタン６１１がクリックされた場合（ステップＳ２：ＹＥＳ）、ステップＳ３で、メモリ１２の目標値・単価記録部から、当月の目標金額のデータを取得し、当月の目標使用量を算出する。
本実施形態では、図１０のように電気使用量の目標金額が１万円、設定単価が２２．８円／ｋＷｈであるため、電気については、目標金額データとして１万円というデータを取得し、１万円を２２．８円／ｋＷｈで割った４３８．６ｋＷｈを、当月の目標使用量として算出する。同様に、ガス、水道についても算出する。
【００５９】
次いで、ステップＳ４に進み、当月のエネルギー消費量を算出する。
当月のエネルギー消費量としては、当月のガス消費量、水道消費量、電気消費量を算出する。
これらのエネルギー消費量は、メモリ１２の使用量記録部に保存された一時間毎のガス使用量、水道使用量、主幹ブレーカ４１ａを通った電流に関する電気使用量について、それぞれ当月の初日から最新のものまでの使用量データの和を求めることにより得る。
【００６０】
次いで、ステップＳ５で、当月の各エネルギー消費金額と目標使用金額との差額を算出する。
このステップでは、まずステップＳ４で算出した当月の各エネルギー消費量に、メモリ１２の目標値・単価記録部から取得した各エネルギーの単価をかけて、当月の各エネルギーの消費金額を算出する。次いで、この各エネルギーの消費金額から、当月の目標使用金額を引いて、当月の各エネルギー消費金額と目標使用金額との差額を算出する。
【００６１】
次いで、ステップＳ６で、当月の各エネルギー消費金額と目標使用金額との差額が−３００円未満か判定する。
差額が−３００円未満である場合（ステップＳ６：ＹＥＳ）、エネルギー消費金額は、目標金額よりも少なく、目標の範囲内であるとして、ステップＳ７で、表示データ記憶部からキャラクタの笑顔データを抽出する。
このキャラクタの笑顔データが、請求項の「明るい表情のキャラクタ表示データ」に該当する。また、この−３００円が、請求項の「所定値」に該当する。
なお、本実施形態では、差額が−３００円未満であるときにキャラクタの笑顔データを抽出し、−３００円を基準としているが、−３００円の代わりに、目標金額に所定割合を掛けた金額を基準としてもよい。
例えば、所定割合としては、０．１〜０．３程度、好ましくは０．１５〜０．２５程度とするとよい。
所定割合を０．２とした場合、本実施形態では電気の目標金額を１０，０００円としているため、差額が−２，０００円未満のときに、電気についてキャラクタの笑顔データを抽出する。同様に、ガスについては差額が−１，２００円未満、水道については差額が−８００円未満のときに、キャラクタの笑顔データを抽出する。
ステップＳ８で、表示データ記憶部からトップページ６２の画面データを抽出し、抽出したキャラクタの顔のデータを付加して、図７のトップページ６２を表示する。
【００６２】
図７のトップページ６２は、本実施形態のエネルギーデータ管理プログラムを端末コンピュータ３１で立ち上げたときに最初に表示される画面である。
トップページ６２の左には、ページを切り替えるためのメニュー画面６１が表示される。
メニュー画面６１には、図７のトップページ６２を表示させるための現在表示ボタン６１１、図１３の前月の結果画面６８を表示させるための前月の状況表示ボタン６１２、図１２の年間推移画面６７を表示させるための年間推移表示ボタン６１３、図１０の目標値・単価設定画面６５を表示させるための目標値・単価設定表示ボタン６１４、図１１の初期設定画面６６を表示させるための初期設定表示ボタン６１５が含まれている。
【００６３】
トップページ６２には、現在の使用電力値を示す現在電力値表示欄６２０１、現在の外気温を示す外気温表示欄６２０２、トップページ６２の表示内容を最新情報に更新するための更新ボタン６２０３、図８の今月の推移（電気）画面６３を表示させるための電気ボタン６２０４、不図示の今月の推移（ガス）画面を表示させるためのガスボタン６２０５、不図示の今月の推移（水道）画面を表示させるための水道ボタン６２０６、当月の電気消費金額が目標金額と比較して多かったか少なかったかを示すキャラクタ６２０７、当月のガス消費金額が目標金額と比較して多かったか少なかったかを示すキャラクタ６２０８、当月の水道消費金額が目標金額と比較して多かったか少なかったかを示すキャラクタ６２０９、当月の電気、水道、ガス消費金額と目標金額との差額を示す差額表示欄６２１０、当月の電気、水道、ガスの目標金額を示す目標金額表示欄６２１１、当月の電気、水道、ガスの目標量を示す目標量表示欄６２１２、当月の電気、水道、ガスの消費量を示す消費量表示欄６２１３が表示されている。
なお、図７のトップページ６２及び図１３の前月の結果画面６８が、請求項の所定期間表示画面に該当する。図７のトップページ６２の場合には、当月の初日から当日までが請求項の「所定期間」に該当し、図１３の前月の結果画面６８の場合には、前月の初日から末日までが請求項の「所定期間」に該当する。
【００６４】
その後、処理を終了する。
差額が−３００円未満でない場合（ステップＳ６：ＮＯ）、ステップＳ９で、差額が０円より大きい、つまり正の値であるか判定する。
差額が０円より大きい場合（ステップＳ９：ＹＥＳ）、エネルギー消費金額は、目標金額を越えており、目標を達成できなかったものとして、ステップＳ１０で表示データ記憶部からキャラクタの泣き顔データを抽出する。
ステップＳ８で、表示データ記憶部からトップページ６２の画面データを抽出し、抽出したキャラクタの顔のデータを付加して、図７のトップページ６２を表示する。
【００６５】
差額が０円より大きくない場合（ステップＳ９：ＮＯ）、即ち、エネルギー消費金額が、０円又は負の値である場合には、ほぼ目標金額に等しいものとして、ステップＳ１１で表示データ記憶部からキャラクタの通常顔データを抽出する。
ステップＳ８で、表示データ記憶部からトップページ６２の画面データを抽出し、抽出したキャラクタの顔のデータを付加して、図７のトップページ６２を表示する。
【００６６】
ステップＳ２で現在表示ボタン６１１がクリックされない場合（ステップＳ２：ＮＯ）、図４のＡを経てステップＳ１２に進み、図７のトップページ６２の情報の更新ボタン６２０３がクリックされたか判定する。
情報の更新ボタン６２０３がクリックされた場合（ステップＳ１２：ＹＥＳ）、トップページ６２を最新の情報に更新するため、Ｂから図３のＢを経てステップＳ３に進み、メモリ１２の目標値・単価記録部から、当月の目標金額のデータを取得し、当月の目標使用量を算出する。
【００６７】
情報の更新ボタン６２０３がクリックされていない場合（ステップＳ１２：ＮＯ）、ステップＳ１３で、トップページ６２の電気ボタン６２０４がクリックされたか判定する。
電気ボタン６２０４がクリックされた場合（ステップＳ１３：ＹＥＳ）、ステップＳ１４で、図８の今月の推移（電気）画面６３を表示する。
【００６８】
このステップＳ１４では、まず、メモリ１２の使用量記録部から、当月の１日から当日までの電気使用量のデータを抽出し、各日の電気使用量を算出する。
次に、当月の１日から各日までの電気使用量の累積値を算出する。
また、メモリ１２の使用量記録部から、前年度の同月の１日から末日までの電気使用量のデータを抽出し、１日から末日までの各日について、１日から各日までの電気使用量の累積値を算出する。
【００６９】
目標値・単価記録部から１ヶ月あたりの目標使用金額と単価を抽出し、この目標使用金額と単価から日毎の電気使用量目標値を算出する。次に、当月の１日から末日までの各日について、１日から各日までの電気使用量目標値の累積値を算出する。
その後、図８のように、当月の１日から各日までの電気使用量の累積値、前年度の同月の１日から各日までの電気使用量の累積値、日毎の電気使用量目標値、１日から各日までの電気使用量目標値の累積値を折れ線グラフ表示する。また、同じグラフ上に、各日の電気使用量を棒グラフ表示する。
次いで、処理を終了する。
【００７０】
電気ボタン６２０４がクリックされない場合（ステップＳ１３：ＮＯ）、ステップＳ１５で、トップページ６２のガスボタン６２０５がクリックされたか判定する。
ガスボタン６２０５がクリックされた場合（ステップＳ１５：ＹＥＳ）、ステップＳ１６で、不図示の今月の推移（ガス）画面を表示する。
不図示の今月の推移（ガス）画面は、図８の今月の推移（電気）画面６３と同様の画面を、ガスの使用量について表示した画面である。
【００７１】
ガスボタン６２０５がクリックされない場合（ステップＳ１５：ＮＯ）、ステップＳ１７で、トップページ６２の水道ボタン６２０６がクリックされたか判定する。
水道ボタン６２０６がクリックされた場合（ステップＳ１７：ＹＥＳ）、ステップＳ１８で、不図示の今月の推移（水道）画面を表示する。
不図示の今月の推移（水道）画面は、図８の今月の推移（電気）画面６３と同様の画面を、水道の使用量について表示した画面である。
なお、図８の今月の推移（電気）画面６３、不図示の今月の推移（ガス）画面、不図示の今月の推移（水道）画面が、請求項のエネルギー使用累積値表示画面に該当する。
【００７２】
水道ボタン６２０６がクリックされない場合（ステップＳ１７：ＮＯ）、ステップＳ１９で、トップページ６２の電気マーク６２１４がクリックされたか判定する。
【００７３】
電気マーク６２１４がクリックされた場合（ステップＳ１９：ＹＥＳ）、ステップＳ２０で、図９の電気の詳しい情報表示画面６４を表示する。
電気の詳しい情報表示画面６４は、図７のトップページ６２の上に重ねて表示される。電気の詳しい情報表示画面６４には、分岐ブレーカ４１ｂに接続された各コンセント等について、各コンセント等が設置された部屋の名称６４１と、そのコンセント等に接続された電気機器等の名称６４２と、その分岐ブレーカ４１ｂの現在電力値６４３と、当月のその分岐ブレーカ４１ｂの消費電力量６４４と、当月のその分岐ブレーカ４１ｂの消費金額６４５と、が表示されている。
【００７４】
各コンセント等が設置された部屋の名称６４１、そのコンセント等に接続された電気機器等の名称６４２には、後述する図１１の初期設定画面６６で設定された名称が表示される。
また、電気の詳しい情報画面６４には、閉じるボタン６４６が表示され、この閉じるボタン６４６をクリックすることで、電気の詳しい情報画面６４を閉じ、図７のトップページ６２に戻ることが可能である。
なお、図９の電気の詳しい情報表示画面６４が、請求項の所定期間電気使用値表示画面に該当し、当月の初日から当日までが所定期間に該当する。
その後、処理を終了する。
電気マーク６２１４がクリックされない場合（ステップＳ１９：ＮＯ）、処理を終了する。
【００７５】
次いで、目標値・単価を設定する処理について、図５のフローチャートに基づき説明する。
処理がスタートすると、ステップＳ３１で、メニュー画面６１で目標値・単価設定ボタン６１４がクリックされたか判定する。
目標値・単価設定ボタン６１４がクリックされた場合（ステップＳ３１：ＹＥＳ）、ステップＳ３２で図１０の目標値・単価設定画面６５を表示する。
【００７６】
目標値・単価設定画面６５には、電力、ガス、水道について、当月の消費目標金額入力欄６５１、６５３、６５５と、単価入力欄６５２、６５４、６５６が表示され、当月の消費目標金額と単価が入力可能にされている。
また、各入力欄６５１〜６５６に入力された内容を目標値・単価記録部に登録するためのＯＫボタン６５７、各入力欄６５１〜６５６に入力した内容をクリアして、入力前の状態を表示するためのキャンセルボタン６５８が表示される。
【００７７】
次いでステップＳ３３で、ＯＫボタン６５７がクリックされたか判定する。
ＯＫボタン６５７がクリックされた場合（ステップＳ３３：ＹＥＳ）、ステップＳ３４で、目標値・単価設定画面６５で必須項目、すなわち各入力欄６５１〜６５６が入力されているか判定する。
必須項目が入力されている場合（ステップＳ３４：ＹＥＳ）、ステップＳ３５で、各入力欄６５１〜６５６に入力された値を目標値・単価記録部に設定登録し、処理を終了する。
【００７８】
必須項目が入力されていない場合（ステップＳ３４：ＮＯ）、ステップＳ３６で、不図示の「目標値、単価が入力されていません」というエラー画面を表示し、ステップＳ３３でＯＫボタン６５７がクリックされたか判定する。
ＯＫボタン６５７がクリックされない場合（ステップＳ３３：ＮＯ）、ステップＳ３７で所定時間、例えば５分が経過したか判定する。
【００７９】
所定時間が経過しない場合（ステップＳ３７：ＮＯ）、ステップＳ３３で、ＯＫボタン６５７がクリックされたか判定する。つまり、所定時間が経過するまで、ステップＳ３３とステップＳ３７とを繰り返す。
所定時間が経過した場合（ステップＳ３７：ＹＥＳ）、端末コンピュータ３１を操作している者は、目標値・単価の設定をする意思がないものとして、処理を終了する。
【００８０】
目標値・単価設定ボタン６１４がクリックされない場合（ステップＳ３１：ＮＯ）、ステップＳ３８でメニュー画面６１の初期設定表示ボタン６１５がクリックされたか判定する。
初期設定表示ボタン６１５がクリックされない場合（ステップＳ３８：ＮＯ）、処理を終了する。
初期設定表示ボタン６１５がクリックされた場合（ステップＳ３８：ＹＥＳ）、ステップＳ３９で、図１１の初期設定画面６６を表示する。
初期設定画面６６には、電気の詳細画面６６１０を表示させるための電気の詳細タブ６６１、不図示の時刻設定画面を表示させるための時刻タブ６６２、不図示の表示項目設定画面を表示させるための表示タブ６６３が表示される。
【００８１】
不図示の表示項目設定画面は、電気、ガス、水道、気温のうち、トップページ６２に表示させる項目を選択する画面である。
図７のトップページ６２は、不図示の表示項目設定画面で電気、ガス、水道、気温のすべての項目が選択された場合を示している。
【００８２】
図１１の初期設定画面６６は、電気の詳細タブ６６１が選択され、電気の詳細画面が表示された場合を示している。
電気の詳細画面６６１０では、分岐ブレーカ４１ｂの番号６６１１と、その分岐ブレーカ４１ｂについて図９の電気の詳しい情報画面６４に表示するか否かを設定する表示チェックボックス６６１２と、その分岐ブレーカ４１ｂが接続されるコンセント等が設置される部屋名称を選択するためのドロップダウンリスト６６１３と、その分岐ブレーカ４１ｂが接続されるコンセント等を用いる機器名称を選択するためのドロップダウンリスト６６１４と、チェックボックス６６１２、ドロップダウンリスト６６１３、６６１４で入力された内容を登録するためのＯＫボタン６６４と、チェックボックス６６１２、ドロップダウンリスト６６１３、６６１４で入力された内容をクリアして入力前の内容を表示させるためのキャンセルボタン６６５と、が表示される。
ドロップダウンリスト６６１３、６６１４には、予め部屋名称、機器名称が登録されている。
【００８３】
次いで、ステップＳ４０で、ＯＫボタン６６４がクリックされたか判定する。
ＯＫボタン６６４がクリックされた場合（ステップＳ４０：ＹＥＳ）、ステップＳ４１で、初期設定画面６６で入力された内容をメモリ１２に設定登録する。
例えば、電気の詳細画面６６で部屋名称、機器名称等が設定された場合には、電気配線設定記録部に設定登録する。
その後、処理を終了する。
【００８４】
ＯＫボタン６６４がクリックされない場合（ステップＳ４０：ＮＯ）、ステップＳ４２で、所定時間、例えば５分が経過したか判定する。
所定時間、例えば５分が経過しない場合（ステップＳ４２：ＮＯ）、ステップＳ４０で、ＯＫボタン６６４がクリックされたか判定する。つまり、所定時間が経過するまで、ステップＳ４０とステップＳ４２とを繰り返す。
所定時間、例えば５分が経過した場合（ステップＳ４２：ＹＥＳ）、端末コンピュータ３１を操作している者は、初期設定をする意思がないものとして、処理を終了する。
【００８５】
次いで、前月の結果画面６８、年間推移画面６７を表示させる処理について、図６のフローチャートに基づき説明する。
処理がスタートすると、ステップＳ４１で、メニュー画面６１で年間推移表示ボタン６１３がクリックされたか判定する。
年間推移表示ボタン６１３がクリックされた場合（ステップＳ４１：ＹＥＳ）、ステップＳ４２で図１２の年間推移画面６７を表示する。
【００８６】
ステップＳ４２では、まず、使用量記録部から、当月を含む過去１３ヶ月分のガス使用量、水道使用量、主幹ブレーカ４１ａを通った電流に関する電気使用量を取得する。また、目標値・単価記録部から、当月を含む過去１３か月分の単価のデータを取得する。
各月のガス使用量、水道使用量、電気使用量にそれぞれ各月の単価を掛け、各月のガス使用量、水道使用量、電気使用量を算出し、図１２の年間推移画面６７の年間推移表示欄６７２にグラフ表示する。
【００８７】
また、各月の平均気温のデータをメモリ１２から取得し、図１２の年間平均気温表示欄６７１にグラフ表示する。
次いで、処理を終了する。
【００８８】
年間推移表示ボタン６１３がクリックされない場合（ステップＳ４１：ＮＯ）、ステップＳ４３で、メニュー画面６１で前月の状況表示ボタン６１２がクリックされたか判定する。
前月の状況表示ボタン６１２がクリックされていない場合（ステップＳ４３：ＮＯ）、処理を終了する。
前月の状況表示ボタン６１２がクリックされた場合（ステップＳ４３：ＹＥＳ）、ステップＳ４４で、図１３の前月の結果画面６８を表示する。
【００８９】
前月の結果画面６８は、前月のエネルギー消費状況を表示する画面であり、前月の消費状況に関する評価コメントを表示するコメント欄６８１、前月の消費量の数値を表示する消費状況表示欄６８２、前月の合計表示欄６８３が表示される。
消費状況表示欄６８２は、図７のトップページ６２の電気ボタン６２０４〜消費量表示欄６２１３と同様であるため、説明を省略する。
前月の合計表示欄６８３には、前月の電気、ガス、水道の合計消費金額と、目標金額の合計が表示される。
【００９０】
ステップＳ４４では、使用量記録部から、前月のガス使用量、水道使用量、主幹ブレーカ４１ａを通った電流に関する電気使用量のデータを取得し、前月のガス使用量、水道使用量、電気使用量の合計を算出する。
また、目標値・単価記録部から前月の目標使用金額と単価のデータを取得し、前月の目標使用量を算出する。
【００９１】
さらに、前月のガス使用量、水道使用量、電気使用量の合計に単価を掛け、前月のガス使用金額、水道使用金額、電気使用金額の合計額を算出する。
前月の使用金額の合計額から目標使用金額を引き、ガス、水道、電気の目標金額との差額を算出する。
差額が正の値であるときにはキャラクタの泣き顔、差額が−３００円〜０円であるときには通常顔、差額が−３００円未満であるときには笑顔のデータを抽出する。
前月のガス使用量、水道使用量、電気使用量の合計、前月の目標使用量、使用金額の合計額、キャラクタを、消費状況表示欄６８２に表示する。
【００９２】
また、電気、ガス、水道のそれぞれについて、前月の前年同月、前月の更に前の月の使用金額を算出する。電気、ガス、水道の前月の使用金額と、前月の前年同月、前月の更に前の月の使用金額とを比較する。使用金額が増えている場合には、消費量が増えている旨と、節約を促すメッセージを、使用金額が減っている場合には、消費量が減っている旨と、節約したことを評価するメッセージを、メモリ１２のコメント記憶部から取得し、コメント欄６８１に表示する。
その後、処理を終了する。
【００９３】
【発明の効果】
以上のように本発明によれば、前記エネルギーデータ管理装置に接続された表示装置からの要求があったときに、前記使用データ記憶手段に保存されたデータ及び前記目標値記憶手段に記憶された目標使用値を用いて、所定期間内の前記ガス、水道、電気の使用値及び前記所定期間におけるガス、水道、電気の目標使用値を同時に表示する所定期間表示画面のデータを作成して、前記表示装置に送信する手段を備えているため、住宅の居住者は、表示装置で、所定期間内のエネルギー使用値とこの期間内の目標使用値とを同時に見ることができ、一目で自分の住宅のエネルギー使用状況を把握することが可能となる。
また、ガス、水道、電気の使用値を同時に表示するため、一般的な住宅に供給されるすべてのエネルギーについて、使用状況を同じ画面で見て把握することが可能となる。
【図面の簡単な説明】
【図１】本発明の一実施形態に係るエネルギーデータ管理システムの構成図である。
【図２】本発明の一実施形態に係るエネルギーデータ管理装置の構成図である。
【図３】本発明の一実施形態に係るエネルギーデータ管理装置により実行される処理のフローチャートである。
【図４】本発明の一実施形態に係るエネルギーデータ管理装置が、端末コンピュータに画面に住宅のエネルギー使用状況を表示させる処理のフローチャートである。
【図５】本発明の一実施形態に係るエネルギーデータ管理装置が、端末コンピュータに画面に住宅のエネルギー使用状況を表示させる処理のフローチャートである。
【図６】本発明の一実施形態に係るエネルギーデータ管理装置が、端末コンピュータに画面に住宅のエネルギー使用状況を表示させる処理のフローチャートである。
【図７】本発明の一実施形態に係るガス、水道、電気の使用状況の表示画面であって、エネルギー消費表示プログラムのトップページである。
【図８】本発明の一実施形態に係るガス、水道、電気の使用状況の表示画面であって、今月の推移（電気）画面である。
【図９】本発明の一実施形態に係るガス、水道、電気の使用状況の表示画面であって、電気の詳しい情報表示画面である。
【図１０】本発明の一実施形態に係るガス、水道、電気の使用状況の表示画面であって、目標値・単価設定画面である。
【図１１】本発明の一実施形態に係るガス、水道、電気の使用状況の表示画面であって、初期設定画面である。
【図１２】本発明の一実施形態に係るガス、水道、電気の使用状況の表示画面であって、年間推移画面である。
【図１３】本発明の一実施形態に係るガス、水道、電気の使用状況の表示画面であって、前月の結果画面である。
【符号の説明】
１　消費量記録装置
１２　メモリ
１３　ＲＯＭ
１４　ＲＡＭ
１５　メータインタフェース
１６　電気メータ
１７　ＰＣインターフェース
１８　モデム
１９　通信装置
３１　端末コンピュータ
４１　分電盤
４１ａ　主幹ブレーカ
４１ｂ　分岐ブレーカ
４１ｃ　予備空間
４２、５２　水道メータ
４３、５３　ガスメータ
４４　温度センサ
５４　水道管
６１　メニュー画面
６２　トップページ
６３　今月の推移（電気）画面
６４　電気の詳しい情報表示画面
６５　目標値・単価設定画面
６６　初期設定画面
６７　年間推移画面
６８　前月の結果画面
【図１】
2004012148.tif 000003
【図２】
2004012148.tif 000004
【図３】
2004012148.tif 000005
【図４】
2004012148.tif 000006
【図５】
2004012148.tif 000007
【図６】
2004012148.tif 000008
【図７】
2004012148.tif 000009
【図８】
2004012148.tif 000010
【図９】
2004012148.tif 000011
【図１０】
2004012148.tif 000012
【図１１】
2004012148.tif 000013
【図１２】
2004012148.tif 000014
【図１３】
2004012148.tif 000015